(57)【要約】      （修正有）【課題】異なる厚みの複数のドアに水平および安定的に取り付けることができる多用途懸架式バスケットボールボードを提供する。【解決手段】多用途懸架式バスケットボードは、バックボード１０、バスケットボールリング２０、および少なくとも１つの懸吊装置３０を有している。少なくとも１つの懸吊装置のそれぞれは、ハンガー３１、少なくとも１つのクランプパネル３２、取付け穴３６、第１ジョイント部３７、および第２ジョイント部３８を有する。その少なくとも１つのクランプパネルはハンガーに接続され、それに対して弾性的である。取付け穴はハンガーのトップパネルを通って形成されている。第１ジョイント部はハンガーの接続パネルとトップパネルの間に取り付けられる。第２ジョイント部はハンガーのトップパネルとバックパネルの間に取り付けられる。従って、この懸架式バスケットボールボードは任意の厚みのドアに水平で安定的な取り付けが可能である。【選択図】図１
0003218303.tif 000002
【実用新案登録請求の範囲】
【請求項１】
多用途懸架式バスケットボールボードであって、
バックボードと、
当該バックボードの前面に取り付けられたバスケットボールリングと、
前記バックボードの後面に取り付けられた少なくとも１つの懸吊装置と、
を含んでおり、
当該少なくとも１つの懸吊装置のそれぞれは、前記バックボードに接続されているハンガーを有しており、
当該ハンガーは、前記バックボードに接続されている接続パネルを含んでおり、  
当該接続パネルは、
上シート板部と、
当該上シート板部と接続され、前記バックボードに接続されている下シート板部と、
前記下シート板部と前記上シート板部の間に接続され、前記上シート板部の底面に配置された接続部と、
前記上シート板部、前記下シート板部、及び前記接続パネルの接続部の間に形成された取付けスペースと、
前記上シート板部と前記下シート板部を通って形成され、前記接続パネルの取付けスペースと通じている貫通孔と、
を有しており、
前記ハンガーはさらに、
前記上シート板部に接続された前側を有したトップパネルと、
当該トップパネルの後側に接続され、前記バックボードの後面から離れて延びているバックパネルと、
を含んでおり、
当該バックパネルは、
前記トップパネルの後側に接続された上プレート部と、
当該上プレート部と接続された下プレート部と、
前記下プレート部と前記上プレート部の間に接続され、前記上プレート部の底面に配置されている接続部と、
前記上プレート部、前記下プレート部、及び前記バックパネルの接続部の間に形成された取付けスペースと、
前記上プレート部と前記下プレート部を通って形成され、前記バックパネルの取付けスペースと通じている貫通孔と、
を有しており、
前記少なくとも１つの懸吊装置は、
前記ハンガーに接続され、当該ハンガーに対して弾性を備えた少なくとも１つのクランプパネルを有しており、
当該少なくとも１つのクランプパネルのそれぞれは、
前記バックパネルの下プレート部に接続され、前記トップパネルから離れている固定端部と、
前記バックボードから離れており、当該バックボードに向かって斜めに延び、さらに前記トップパネルから離れており、当該トップパネルに向かって延びている自由端部と、
を有しており、
前記少なくとも１つの懸吊装置は、
前記バックボード、前記接続パネル、前記トップパネル、および前記バックパネルの間に形成された空間部と、
前記トップパネルを通って形成された取付け穴と、
前記接続パネルと、前記トップパネルの前側の間に取り付けられた第１ジョイント部と、
前記トップパネルの後側と、前記バックパネルの間に取り付けられた第２ジョイント部と、
を有しており、
前記第１ジョイント部と第２ジョイント部のそれぞれは、
ピボット体と、当該ピボット体から横方向に突き出すフランジ部とを有した第１ピボット部と、
前記ピボット体を通って堅く取り付けられた第２ピボット部と、
を含んでおり、
前記第１ジョイント部の第１ピボット部のピボット体は、前記トップパネルを通って前側に取り付けられ、前記接続パネルの貫通孔および前記接続パネルの取付けスペースに配置されており、
前記第１ジョイント部の第１ピボット部のフランジ部は前記トップパネルに前側で当接し、
前記第１ジョイント部の第２ピボット部は、前記接続パネルの取付けスペースに取り付けられ、前記第１ジョイント部の第１ピボット部のピボット体を通って堅く取り付けられており、
前記第２ジョイント部の第１ピボット部のピボット体は、前記トップパネルを通って後側に取り付けられ、前記バックパネルの貫通孔と、前記バックパネルの取付けスペースに配置されており、
前記第２ジョイント部の第１ピボット部のフランジ部は、前記トップパネルに後側で当接し、
前記第２ジョイント部の第２ピボット部は、前記バックパネルの取付けスペースに取り付けられ、前記第２ジョイント部の第１ピボット部のピボット体を通って堅く取り付けられており、
前記少なくとも１つのクランプパネルのそれぞれは、前記空間部に選択的に配置されている、
ことを特徴とする多用途懸架式バスケットボールボード。
【請求項２】
前記少なくとも１つの懸吊装置のそれぞれは、受領スペースを有しており、
前記トップパネルは、当該トップパネルの前側と後側の間に接続され、前記受領スペースと前記バックパネルの間に配置された曲形部をさらに有しており、
前記少なくとも１つのクランプパネルのそれぞれは、前記受領スペースと前記空間部に選択的に配置される、
請求項１記載の多用途懸架式バスケットボールボード。
【請求項３】
前記バックボードの後面に取り付けられるバックボード緩衝構造をさらに含んでいる、請求項１記載の多用途懸架式バスケットボールボード。
【請求項４】
前記バックボードの後面に取り付けられるバックボード緩衝構造をさらに含んでいる、請求項２記載の多用途懸架式バスケットボールボード。
【請求項５】
前記少なくとも１つの懸吊装置のそれぞれは、
前記ハンガーに取り付けられる第１懸吊緩衝部と、
少なくとも１つの第２懸吊緩衝部と、
を有しており、前記少なくとも１つの第２懸吊緩衝部のそれぞれは、前記少なくとも１つのクランプパネルのうちの対応するクランプパネルに取り付けられ、
前記少なくとも１つの第２懸吊緩衝部と前記第１懸吊緩衝部は前記空間部内に向かい合って配置されている、請求項１または３記載の多用途懸架式バスケットボールボード。
【請求項６】
前記少なくとも１つの懸吊装置のそれぞれは、
前記ハンガーに取り付けられる第１懸吊緩衝部と、
少なくとも１つの第２懸吊緩衝部と、
を有しており、前記少なくとも１つの第２懸吊緩衝部のそれぞれは、前記少なくとも１つのクランプパネルのうちの対応するクランプパネルに取り付けられ、
前記少なくとも１つの第２懸吊緩衝部と前記第１懸吊緩衝部は前記空間部内に向かい合って配置されている、請求項２または４記載の多用途懸架式バスケットボールボード。
【請求項７】
前記少なくとも１つの懸吊装置のそれぞれは、前記トップパネルの曲形部に取り付けられ、前記空間部に配置される最上部懸吊緩衝部をさらに有している、請求項２、４または６記載の多用途懸架式バスケットボールボード。
【考案の詳細な説明】
【技術分野】
【０００１】
本実用新案は懸架式バスケットボールボードに関し、特には、異なる厚みの複数のドアあるいは壁にも水平および安定的に取り付けられる多用途懸架式バスケットボールボードに関する。
【背景技術】
【０００２】
バスケットボールは長年、人気スポーツであり続けている。ドアまたは壁に懸けられる懸架式バスケットボールボードは正式なバスケットボールコート以外の場所でバスケットボールをするために使用される。よって、アマチュアのバスケットボール愛好者は任意の屋内スペースにおいてバスケットボールを楽しみ、練習することができる。
【０００３】
図１２に示すように、従来型の懸架式バスケットボールボードは、バックボード（背面板）５０、バスケットボールリング（フープ）６０、およびハンガー（懸吊部）７０を含んでいる。バスケットボールリング６０はバックボード５０の前面に取り付けられている。ハンガー７０はバックボード５０の背面の最上端部に取り付けられ、接続パネル７１とフック部を有している。接続パネル７１はバックボード５０に接続されている。フック部は接続パネル７１から後方に曲げられ、トップパネル７２とバックパネル７３を有している。従来型の懸架式バスケットボールボードはドアまたは壁にハンガー７０を引っ掛けることができる。好適には、ドアまたは壁の最上端部はバックボード５０とハンガー７０の間に配置される。
【０００４】
しかし、ハンガー７０のトップパネル７２の長さは一定であり、バックボード５０とバックパネル７３の間の距離は調整することができない。バックボード５０とバックパネル７３の間の距離はドア８０あるいは壁８０Ａの厚みに対応する。異なる複数のドア８０または壁８０Ａは一般にそれぞれ異なる厚みを有しているため、バックボード５０とバックパネル７３の間の距離はドア８０と壁８０Ａの厚みに常に対応できるとは限らない。よって、従来型の懸架式バスケットボールボードは前方に傾いたり、簡単に揺れたり、ドア８０または壁８０Ａから落下することさえあり得、競技者のシュート練習に影響を及ぼした。
【考案の概要】
【考案が解決しようとする課題】
【０００５】
本実用新案の主な目的は、異なる厚みの複数のドアに水平および安定的に取り付けることができる多用途懸架式バスケットボールボードを提供することである。
【課題を解決するための手段】
【０００６】
この懸架式バスケットボールボードは、バックボード、そのバックボードの前面に取り付けられたバスケットボールリングおよびバックボードの後面に取り付けられた少なくとも１つの懸吊装置を含んでいる。
【０００７】
この少なくとも１つの懸吊装置のそれぞれは、ハンガー、少なくとも１つのクランプ（締留）パネル、空間部、取付け穴、第１ジョイント部（結合部）および第２ジョイント部を有している。
【０００８】
このハンガーは、接続パネル、トップパネル、およびバックパネルを含んでいる。この接続パネルはバックボードに接続されている。このトップパネルの前側は接続パネルに旋回式に接続されており、よって、トップパネルは接続パネルに対して横方向および縦方向に旋回することができる。このバックパネルはトップパネルの後側に旋回式に接続されており、よって、バックパネルはトップパネルに対して横方向および縦方向に旋回することができる。
【０００９】
その少なくとも１つのクランプパネルはハンガーのバックパネルに接続されている。空間部は、バックボード、接続パネル、トップパネル、およびバックパネルの間に形成されている。取付け穴はトップパネルを通って形成されている。第１ジョイント部は接続パネルとトップパネルの前側との間に取り付けられている。第２ジョイント部はトップパネルの後側とバックパネルとの間に取り付けられている。
【００１０】
懸架式バスケットボールボードが使用されているとき、ドアはバックボードと、その少なくとも１つのクランプパネルとの間に維持される。その少なくとも１つのクランプパネルはハンガーに接続されており、ハンガーに対して弾性的であるため、その少なくとも１つのクランプパネルは任意の厚みのドアに当接することができる。よって、この懸架式バスケットボールボードは、ユーザのシュート練習に影響を及ぼすことなく、異なる厚みの複数のドアにそれぞれ水平および安定的に取り付けることができる。
【図面の簡単な説明】
【００１１】
【図１】本実用新案による多用途懸架式バスケットボールボードの斜視図である。
【図２】図１の多用途懸架式バスケットボールボードの別な斜視図である。
【図３】図１の多用途懸架式バスケットボールボードの一部拡大側面図である。
【図４】図１の多用途懸架式バスケットボールボードの懸吊装置の分解斜視図である。
【図５】ドアに締留めされている状態の図１の多用途懸架式バスケットボールボードの利用形態の側面図である。
【図６】異なる厚みの別ドアに締留めされている状態の図１の多用途懸架式バスケットボールボードの別な利用形態の側面図である。
【図７】壁に取り付けられている状態の図１の多用途懸架式バスケットボールボードの別な利用形態の側面図である。
【図８】トップパネルに対して横方向に旋回しているバックパネルを示す図１の多用途懸架式バスケットボールボードの第１の拡大された利用形態図である。
【図９】トップパネルに対して縦方向に旋回しているバックパネルを示す図１の多用途懸架式バスケットボールボードの第２の拡大された利用形態図である。
【図１０】接続パネルに対して横方向に旋回しているトップパネルを示す図１の多用途懸架式バスケットボールボードの第３の拡大された利用形態図である。
【図１１】接続パネルに対して縦方向に旋回しているトップパネルを示す図１の多用途懸架式バスケットボールボードの第４の拡大された利用形態図である。
【図１２】先行技術による従来型懸架式バスケットボールボードの利用形態側面図である。
【考案を実施するための形態】
【００１２】
図１と図２に示すように、本実用新案の多用途懸架式バスケットボールボードは、バックボード１０、バスケットボールリング２０、および少なくとも１つの懸吊装置３０を含んでいる。
【００１３】
図１、図２および図５に示すように、バックボード１０は前面と後面を有している。好適には、この懸架式バスケットボールボードはさらにバックボード緩衝構造１３を含んでいる。このバックボード緩衝構造１３はバックボード１０の後面に取り付けられており、バックボード１０の後面に間隔を開けて取り付けられている複数のバックボード緩衝体１３１を含んでいる。
【００１４】
図１と図２に示すように、バスケットボールリング２０はバックボード１０の前面に水平に取り付けられている。
【００１５】
図１、図２および図５に示すように、その少なくとも１つの懸吊装置３０は、バックボード１０の後側の最上端部に取り付けられる。その少なくとも１つの懸吊装置３０のそれぞれはハンガー３１、少なくとも１つのクランプパネル３２、空間部３３、取付け穴３６、第１ジョイント部３７、および第２ジョイント部３８を有している。
【００１６】
図３にさらに示すように、ハンガー３１はバックボード１０に接続されており、接続パネル３１１とフック部３１２を含んでいる。
【００１７】
図３と図４に示すように、接続パネル３１１はバックボード１０に接続されており、上シート板部（上側薄板）５１、下シート板部（下側薄板）５２、接続部５３、取付けスペース５４、および貫通孔５５を有している。下シート板部５２は上シート板部５１に接続されており、さらにバックボード１０に接続されている。接続パネル３１１の接続部５３は下シート板部５２と上シート板部５１の間で接続され、上シート板部５１の底面に配置されている。接続パネル３１１の取付けスペース５４は、上シート板部５１、下シート板部５２および接続パネル３１１の接続部５３の間に形成される。接続パネル３１１の貫通孔５５は上シート板部５１と下シート板部５２を通して形成されており、接続パネル３１１の取付けスペース５４と通じている。
【００１８】
図２から図４に示すように、フック部３１２はトップパネル３１２１とバックパネル３１２２を含んでいる。トップパネル３１２１は前側と後側を有している。トップパネル３１２１の前側は上シート板部５１に接続される。
【００１９】
バックパネル３１２２はトップパネル３１２１の後側に接続され、バックボード１０の後面から間隔を開けて延びており、上プレート部６１、下プレート部６２、接続部６３、取付けスペース６４、および貫通孔６５を有している。上プレート部６１はトップパネル３１２１の後側に接続される。下プレート部６２は上プレート部６１と接続される。バックパネル３１２２の接続部６３は下プレート部６２と上プレート部６１の間で接続され、上プレート部６１の底面に配置される。バックパネル３１２２の取付けスペース６４は、上プレート部６１、下プレート部６２およびバックパネル３１２２の接続部６３の間に形成されている。バックパネル３１２２の貫通孔６５は上プレート部６１と下プレート部６２を通って形成されており、バックパネル３１２２の取付けスペース６４と通じている。
【００２０】
その少なくとも１つのクランプパネル３２はハンガー３１に接続されており、ハンガー３１に対して弾性的である。その少なくとも１つのクランプパネル３２のそれぞれは固定端部３２１と自由端部３２２を有している。固定端部３２１はバックパネル３１２２の下プレート部６２に接続され、トップパネル３１２１からは離れている。自由端部３２２はバックボード１０から離れており、それに向かって斜めに延びており、トップパネル３１２１から離れており、それに向かって延びている。外部の力がその少なくとも１つのクランプパネル３２に作用すると、自由端部３２２は固定端部３２１を旋回軸としてハンガー３１に当接するように加圧できる。
【００２１】
空間部３３は、バックボード１０、接続パネル３１１、トップパネル３１２１およびバックパネル３１２２の間に形成される。
【００２２】
取付け穴３６はトップパネル３１２１を通して形成されている。
【００２３】
第１ジョイント部３７は、接続パネル３１１と、トップパネル３１２１の前側の間に取り付けられる。第２ジョイント部３８は、トップパネル３１２１の後側と、バックパネル３１２１の間に取り付けられる。
【００２４】
特に、第１ジョイント部３７と第２ジョイント部３８のそれぞれは、第１ピボット（旋回軸）部３７０、３８０と第２ピボット部３７５、３８５を含んでいる。第１ピボット部３７０、３８０はピボット体３７１、３８１と、そのピボット体３７１、３８１から横方向に突き出ているフランジ部３７２、３８２を有している。第２ピボット部３７５、３８５は棒状であり、ピボット体３７１、３８１を介して堅く取り付けられ、第１ピボット部３７０、３８０と第２ピボット部３７５、３８５の相対位置は固定されている。
【００２５】
特に、第１ジョイント部３７の第１ピボット部３７０のピボット体３７１は前側でトップパネル３１２１を通って取り付けられ、接続パネル３１１の貫通孔５５と、接続パネル３１１の取付けスペース５４に配置される。第１ジョイント部３７の第１ピボット部３７０のフランジ部３７２は、前側でトップパネル３１２１に当接する。従って、フック部３１２のトップパネル３１２１の前側は、第１ジョイント部３７の第１ピボット部３７０のフランジ部３７２と、上シート板部５１の間に維持される。第１ジョイント部３７の第２ピボット部３７５は接続パネル３１１の取付けスペース５４に取り付けられ、第１ジョイント部３７の第１ピボット部３７０のピボット体３７１を通って堅く取り付けられる。
【００２６】
特に、第２ジョイント部３８の第１ピボット部３８０のピボット体３８１は後側でトップパネル３１２１を通って取り付けられ、バックパネル３２１１の貫通孔６５とバックパネル３１２２の取付けスペース６４内に配置される。第２ジョイント部３８の第１ピボット部３８０のフランジ部３８２は後側でトップパネル３１２１に当接する。従って、フック部３１２のトップパネル３１２１の後側は第２ジョイント部３８の第１ピボット部３８０のフランジ部３８２と上プレート部６１の間に維持される。第２ジョイント部３８の第２ピボット部３８５はバックパネル３１２２の取付けスペース６４に取り付けられ、第２ジョイント部３８の第１ピボット部３８０のピボット体３８１を通って堅く取り付けられる。
【００２７】
図３と図４に示すように、好適には、前述の少なくとも１つの懸吊装置３０のそれぞれは第１懸吊緩衝部３４と、少なくとも１つの第２懸吊緩衝部３５を有している。第１懸吊緩衝部３４はハンガー３１の接続パネル３１１の下シート板部５２に取り付けられている。その少なくとも１つの第２懸吊緩衝部３５のそれぞれは、前述の少なくとも１つのクランプパネル３２の対応するパネルに取り付けられている。その少なくとも１つの第２懸吊緩衝部３５と第１懸吊緩衝部３４は空間部３３に対面的に配置されている。
【００２８】
さらに、その少なくとも１つの懸吊装置３０のそれぞれは受領スペース３１３をさらに有している。受領スペース３１３はフック部３１２のトップパネル３１２１の前側と、フック部３１２のトップパネル３１２１の後側の間に配置される。フック部３１２のトップパネル３１２１は受領スペース３１３とフック部３１２のバックパネル３１２２の間に配置される。前述の少なくとも１つのクランプパネル３２のそれぞれは、受領スペース３１３と空間部３３に選択的に配置される。
【００２９】
特に、トップパネル３１２１は曲形部３１４をさらに有している。この曲形部３１４はトップパネル３１２１の前側と後側の間で接続され、受領スペース３１３とバックパネル３１２２の間に配置される。受領スペース３１３はトップパネル３１２１を曲加工することで形成される。
【００３０】
前述の少なくとも１つの懸吊装置３０のそれぞれは、トップパネル３１２１の曲形部３１４に取り付けられ、空間部３３内に配置される最上部懸吊緩衝部３９をさらに有する。
【００３１】
図５と図６に示すように、この懸架式バスケットボールボードはドア４０、４０Ａに懸吊され、ドア４０、４０Ａはバックボード１０と懸吊装置３０のクランプパネル３２によって空間部３３に維持される。ドア４０、４０Ａの前面は第１懸吊緩衝部３４と、その少なくとも１つの懸吊装置３０のそれぞれのハンガー３１の接続パネル３１１を介して懸吊装置３０の後面に当接する。ドア４０、４０Ａの最上面部は、その少なくとも１つの懸吊装置３０のそれぞれのハンガー３１のトップパネル３１２１に当接する。ドア４０、４０Ａの後面は、クランプパネル３２の第２懸吊緩衝部３５を介して、その少なくとも１つの懸吊装置３０のそれぞれのクランプパネル３２の自由端部３２２に当接する。自由端部３２２がドア４０、４０Ａと当接すると、その当接により作用力が発生されて自由端部３２２に作用し、よって、自由端部３２２は固定端部３２１を旋回軸としてハンガー３１の方向に曲げられる。
【００３２】
クランプパネル３２はハンガー３１に対して弾性的であるため、懸架式バスケットボールボードは傾斜することなくドア４０、４０Ａに締留めされ、容易に揺れたり、落下したりしない。この懸架式バスケットボールボードがドア４０、４０Ａから取り外されると、クランプパネル３２の自由端部３２２は元来の位置に戻る。
【００３３】
加えて、バックボードの緩衝構造１３、前述の少なくとも１つの懸吊装置３０のそれぞれの第１懸吊緩衝部３４と、クランプパネル３２の第２懸吊緩衝部３５は、ドア４０、４０Ａがバックボード１０および前述の少なくとも１つの懸吊装置３０と衝突したり、擦れ合ったりすることを防止し、ドア４０、４０Ａが擦れて傷付くことから保護する。
【００３４】
加えて、ドア４０、４０Ａはバックボード１０とクランプパネル３２によって空間部３３内に安定的に保持することができる。使用後に、クランプパネル３２は元来の位置に戻ることができる。従って、懸架式バスケットボールボードがドア４０から外されると、この懸架式バスケットボールボードは異なる厚みの他のドア４０Ａに傾斜することなく懸吊できる。その結果、懸架式バスケットボールボードは、プレーヤのシュート練習に影響を及ぼすことなく、異なる厚みのドア４０、４０Ａに水平および安定的に取り付けられる。
【００３５】
図７に示すように、異なる厚みのドア４０、４０Ａに懸吊することに加えて、懸架式バスケットボールボードは釘等の固定要素を用いて壁４０Ｂに取り付けることができる。
【００３６】
特に、壁４０Ｂに懸架式バスケットボールボードを取り付けるため、前述の少なくとも１つの懸吊装置３０のそれぞれは次のように調整される。
【００３７】
始めに、図３と図５に示すように、その少なくとも１つの懸吊装置３０のそれぞれはドア４０に懸吊するための利用形態にある。
【００３８】
続いて、図８に示すように、フック部３１２のバックパネル３１２２がフック部３１２のトップパネル３１２１の周囲を、第２ジョイント部３８の第１ピボット部３８０によって横方向に１８０°旋回する。クランプパネル３２は空間部３３から動き出る。
【００３９】
続いて、図９に示すように、フック部３１２のバックパネル３１２２はフック部３１２のトップパネル３１２１の周囲を、第２ジョイント部３８の第２ピボット部３８５によって縦方向に９０°旋回する。クランプパネル３２は受領スペース３１３内に動き入る。
【００４０】
続いて、図１０に示すように、フック部３１２のトップパネル３１２１は接続パネル３１１の周囲を、第１ジョイント部３７の第１ピボット部３７０によって横方向に１８０°旋回する。クランプパネル３２、フック部３１２のバックパネル３１２２、およびフック部３１２のバックパネル３１２２の後側と曲形部３１４がバックボード１０の前側に移動する。
【００４１】
続いて、図１１に示すように、フック部３１２のトップパネル３１２１は接続パネル３１１の周囲を、第１ジョイント部３７の第２ピボット部３７５によって縦方向に９０°旋回する。クランプパネル３２、フック部３１２のバックパネル３１２２、およびフック部３１２のバックパネル３１２２の後側と曲形部３１４はバックボード１０の上方の位置にまで移動する。
【００４２】
その後、図７と図１１に示すように、固定要素４１Ｂが取り付け穴３６を通じて取り付けられて壁４０Ｂに固定され、壁４０Ｂに懸架式バスケットボールボードを取り付ける。
【００４３】
従って、懸架式バスケットボールボードは、プレーヤのシュート練習に影響を及ぼすことなく、異なる厚みのドア４０、４０Ａに水平および安定的に取り付けることができるが、プレーヤの要求に応じてドア４０、４０Ａまたは壁４０Ｂに取り付けることもでき、プレーヤが選択できる多様な利用形態を提供する。
【００４４】
加えて、接続パネル３１１はリベットによってバックボード１０に取り付けることができ、第１懸吊緩衝部３４の厚みを減らすことができる。
【００４５】
さらに、懸架式バスケットボールボードは、クランプパネル３２、フック部３１２のバックパネル３１２２、およびフック部３１２のバックパネル３１２２の後側と曲形部３１４がバックボード１０の上方の位置にまで移動した状態で包装することができ、梱包物の厚みを減少させ、梱包費用、運搬費および保管スペースを節約する。
【図１】
0003218303.tif 000003
【図２】
0003218303.tif 000004
【図３】
0003218303.tif 000005
【図４】
0003218303.tif 000006
【図５】
0003218303.tif 000007
【図６】
0003218303.tif 000008
【図７】
0003218303.tif 000009
【図８】
0003218303.tif 000010
【図９】
0003218303.tif 000011
【図１０】
0003218303.tif 000012
【図１１】
0003218303.tif 000013
【図１２】
0003218303.tif 000014